(57)【要約】【課題】ユーザの好みの楽曲を自宅だけでなく、移動体端末でも簡単に聴くことができる楽曲ダウンロードシステム及び楽曲ダウンロード方法を提供すること。【解決手段】本発明に係る楽曲ダウンロード方法においては、ダウンロード対象機器を管理すると共に、ダウンロードする楽曲データを格納する移動通信センタ３から携帯端末１に楽曲データをダウンロードし、固定オーディオ機器５及び車載装置６に対して前記楽曲データのダウンロードを許可する旨の信号を送信し、前記移動通信センタ３から固定オーディオ機器５及び車載装置６に楽曲データをダウンロードする。【選択図】図１
2008216420.tif 000002
【特許請求の範囲】
【請求項１】
楽曲データをダウンロードするアプリ制御手段及びダウンロードした前記楽曲データを再生する再生手段を有する少なくとも２つのダウンロード対象機器と、前記ダウンロード対象機器を管理する管理手段、ダウンロードする楽曲データを格納する楽曲データベース、及び前記ダウンロード対象機器に対してダウンロードを許可する旨の信号を送信する通信制御手段を有する管理センタと、を具備することを特徴とする楽曲ダウンロードシステム。
【請求項２】
前記管理手段は、前記ダウンロード対象機器を管理するテーブルを有し、前記ダウンロード対象機器に対して前記楽曲データのダウンロードが完了する毎に前記テーブルを更新することを特徴とする請求項１記載の楽曲ダウンロードシステム。
【請求項３】
前記管理センタは、前記テーブルを参照し、前記ダウンロード対象機器に応じて楽曲データのファイル形式を設定するファイル設定手段を具備することを特徴とする請求項２記載の楽曲ダウンロードシステム。
【請求項４】
前記アプリ制御手段は、前記ダウンロード対象機器の電源がＯＮになったときに自動的に前記管理センタから楽曲データをダウンロードすることを特徴とする請求項１から請求項３のいずれかに記載の楽曲ダウンロードシステム。
【請求項５】
前記少なくとも２つのダウンロード対象機器は、携帯端末装置、車載装置、及び固定オーディオ機器からなる群より選ばれた少なくとも２つであることを特徴とする請求項１から請求項４のいずれかに記載の楽曲ダウンロードシステム。
【請求項６】
ダウンロード対象機器を管理すると共に、ダウンロードする楽曲データを格納する管理センタから第１ダウンロード対象機器に楽曲データをダウンロードする工程と、第２ダウンロード対象機器に対して前記楽曲データのダウンロードを許可する旨の信号を送信する工程と、前記管理センタから前記第２ダウンロード対象機器に楽曲データをダウンロードする工程と、を具備することを特徴とする楽曲ダウンロード方法。
【請求項７】
前記管理センタがダウンロード対象機器を管理するテーブルを有し、前記ダウンロード対象機器に対して前記楽曲データのダウンロードが完了する毎に前記テーブルを更新する工程を具備することを特徴とする請求項６記載の楽曲ダウンロード方法。
【請求項８】
前記管理センタにおいて、前記テーブルを参照し、前記ダウンロード対象機器に応じて楽曲データのファイル形式を設定する工程を具備することを特徴とする請求項７記載の楽曲ダウンロード方法。
【請求項９】
前記第２ダウンロード対象機器の電源がＯＮになったときに自動的に前記管理センタから楽曲データをダウンロードすることを特徴とする請求項６から請求項８のいずれかに記載の楽曲ダウンロード方法。
【請求項１０】
前記第１ダウンロード対象機器は、携帯端末装置、車載装置、及び固定オーディオ機器からなる群より選ばれた一つであり、前記第２ダウンロード対象機器は、携帯端末装置、車載装置、及び固定オーディオ機器からなる群より選ばれた少なくとも２つであることを特徴とする請求項６から請求項９のいずれかに記載の楽曲ダウンロード方法。
【発明の詳細な説明】
【技術分野】
【０００１】
本発明は、種々のダウンロード対象機器に楽曲データをダウンロードする楽曲ダウンロードシステム及び楽曲ダウンロード方法に関する。
【背景技術】
【０００２】
近年、楽曲データを異なる場所に設置した再生機器で聴くことが行われている。例えば、特許文献１には、ユーザの居場所に応じて楽曲再生する機器を切り替えることが開示されている。すなわち、特許文献１には、異なる場所に再生機器が設置されている場合において、ユーザの居る場所を検知して、その場所に設置された再生機器にコンテンツサーバが楽曲データを送信することが開示されている。
【特許文献１】特開２００５−１００２００号公報
【発明の開示】
【発明が解決しようとする課題】
【０００３】
ところで、現在では、携帯電話にも楽曲再生機能を備えたものが開発されてきており、自宅だけでなく、携帯電話や車載装置のような移動体端末でも楽曲再生を行う機会が増えてきている。したがって、ユーザの好みの楽曲を自宅だけでなく、移動体端末でも簡単に聴くことができるシステムが望まれているが、未だ実現されていないのが現状である。
【０００４】
本発明はかかる点に鑑みてなされたものであり、ユーザの好みの楽曲を自宅だけでなく、移動体端末でも簡単に聴くことができる楽曲ダウンロードシステム及び楽曲ダウンロード方法を提供することを目的とする。
【課題を解決するための手段】
【０００５】
本発明の楽曲ダウンロードシステムは、楽曲データをダウンロードするアプリ制御手段及びダウンロードした前記楽曲データを再生する再生手段を有する少なくとも２つのダウンロード対象機器と、前記ダウンロード対象機器を管理する管理手段、ダウンロードする楽曲データを格納する楽曲データベース、及び前記ダウンロード対象機器に対してダウンロードを許可する旨の信号を送信する通信制御手段を有する管理センタと、を具備することを特徴とする。
【０００６】
この構成によれば、同じユーザに関する複数のダウンロード対象機器を関連づけて管理しておき、一つのダウンロード対象機器で楽曲データをダウンロードしたときに、そのダウンロード対象機器と関連づけられた他のダウンロード対象機器に自動的に同じ楽曲データをダウンロードさせるので、複数のダウンロード対象機器に同じ楽曲データを簡単にダウンロードすることができる。これにより、ユーザの好みの楽曲を自宅だけでなく、移動体端末でも簡単に聴くことができる。
【０００７】
本発明の楽曲ダウンロードシステムにおいては、前記管理手段は、前記ダウンロード対象機器を管理するテーブルを有し、前記ダウンロード対象機器に対して前記楽曲データのダウンロードが完了する毎に前記テーブルを更新することが好ましい。この場合において、前記管理センタは、前記テーブルを参照し、前記ダウンロード対象機器に応じて楽曲データのファイル形式を設定するファイル設定手段を具備することが好ましい。
【０００８】
本発明の楽曲ダウンロードシステムにおいては、前記アプリ制御手段は、前記ダウンロード対象機器の電源がＯＮになったときに自動的に前記管理センタから楽曲データをダウンロードすることが好ましい。
【０００９】
本発明の楽曲ダウンロードシステムにおいては、前記少なくとも２つのダウンロード対象機器は、携帯端末装置、車載装置、及び固定オーディオ機器からなる群より選ばれた少なくとも２つであることが好ましい。
【００１０】
本発明の楽曲ダウンロード方法は、ダウンロード対象機器を管理すると共に、ダウンロードする楽曲データを格納する管理センタから第１ダウンロード対象機器に楽曲データをダウンロードする工程と、第２ダウンロード対象機器に対して前記楽曲データのダウンロードを許可する旨の信号を送信する工程と、前記管理センタから前記第２ダウンロード対象機器に楽曲データをダウンロードする工程と、を具備することを特徴とする。
【００１１】
この方法によれば、同じユーザに関する複数のダウンロード対象機器を関連づけて管理しておき、一つのダウンロード対象機器で楽曲データをダウンロードしたときに、そのダウンロード対象機器と関連づけられた他のダウンロード対象機器に自動的に同じ楽曲データをダウンロードさせるので、複数のダウンロード対象機器に同じ楽曲データを簡単にダウンロードすることができる。これにより、ユーザの好みの楽曲を自宅だけでなく、移動体端末でも簡単に聴くことができる。
【００１２】
本発明の楽曲ダウンロード方法においては、システム前記管理センタがダウンロード対象機器を管理するテーブルを有し、前記ダウンロード対象機器に対して前記楽曲データのダウンロードが完了する毎に前記テーブルを更新する工程を具備することが好ましい。この場合において、前記管理センタで、前記テーブルを参照し、前記ダウンロード対象機器に応じて楽曲データの音質を設定することが好ましい。
【００１３】
本発明の楽曲ダウンロード方法においては、前記第２ダウンロード対象機器の電源がＯＮになったときに自動的に前記管理センタから楽曲データをダウンロードすることが好ましい。
【００１４】
本発明の楽曲ダウンロード方法においては、前記第１ダウンロード対象機器は、携帯端末装置、車載装置、及び固定オーディオ機器からなる群より選ばれた一つであり、前記第２ダウンロード対象機器は、携帯端末装置、車載装置、及び固定オーディオ機器からなる群より選ばれた少なくとも２つであることが好ましい。
【発明の効果】
【００１５】
本発明のシステムによれば、ダウンロード対象機器を管理すると共に、ダウンロードする楽曲データを格納する管理センタから第１ダウンロード対象機器に楽曲データをダウンロードし、第２ダウンロード対象機器に対して前記楽曲データのダウンロードを許可する旨の信号を送信し、前記管理センタから前記第２ダウンロード対象機器に楽曲データをダウンロードするので、ユーザの好みの楽曲を自宅だけでなく、移動体端末でも簡単に聴くことができる。
【発明を実施するための最良の形態】
【００１６】
以下、本発明の実施の形態について、添付図面を参照して詳細に説明する。
図１は、本発明の実施の形態に係る楽曲ダウンロードシステムの概略構成を示す図である。図１に示すシステムは、ダウンロード対象機器である携帯端末１、自宅などに設置される固定オーディオ機器５、及び車載装置６と、携帯端末１や車載装置６と移動通信網２を介して接続されると共に、固定オーディオ機器５とインターネット４のようなネットワークを介して接続された管理センタである移動通信センタ３とから主に構成されている。なお、図１では、ダウンロード対象機器として、携帯端末１、固定オーディオ機器５及び車載装置６が３台である場合について示しているが、ダウンロード対象機器が２台以上であればその数に制限はない。
【００１７】
ダウンロード対象機器である携帯端末１、固定オーディオ機器５及び車載装置６は、その一つのダウンロード対象機器に移動通信センタ３から楽曲データをダウンロードしたときに、移動通信センタ３から自動的に同じ楽曲データをダウンロードする。ここでは、移動通信センタ３から楽曲データを携帯端末１にダウンロードしたときに、移動通信センタ３から同じ楽曲データを固定オーディオ機器５及び車載装置６にダウンロードする場合について説明するが、本発明はこれに限定されず、固定オーディオ機器５又は車載装置６に楽曲データをダウンロードしたときに、同じ楽曲データを、携帯端末１を含むその他のダウンロード対象機器にダウンロードする場合にも適用することができる。
【００１８】
図２は、本発明の実施の形態に係る楽曲ダウンロードシステムにおけるダウンロード対象機器である携帯端末１、固定オーディオ機器５及び車載装置６の概略構成を示すブロック図である。これらのダウンロード対象機器は、基本的に同じ機能部を備えている。携帯端末１は、装置全体を制御する制御部１１と、移動通信網２を介して移動通信センタ３と通信を行うと共に移動通信網２及びインターネット４を介して他のダウンロード対象機器や他の端末装置と通信を行う通信制御部１２と、種々のデータを表示する表示部１３と、装置に対して種々の操作を行う操作部１４と、楽曲データの再生を行う再生部１５と、装置に搭載され、あるいはダウンロードされた種々のアプリケーションを起動するアプリ制御部１６とから主に構成されている。なお、図１に示す構成は、本発明を説明するために簡略化したものであり、通常の携帯端末に搭載される構成要素は備えているものとする。
【００１９】
携帯端末１においては、アプリ制御部１６が楽曲ダウンロードアプリケーションを起動する。そして、楽曲ダウンロードアプリケーションにおいて、移動通信センタ３との間で楽曲データが可能であるかどうかの認証処理が行われた後に、移動通信センタ３からの楽曲データを、通信制御部１２を介してダウンロードする。ダウンロードした楽曲データは再生部１５で再生される。なお、携帯端末１と移動通信センタ３との間の認証方法については特に制限はない。また、ここで認証されたときに、楽曲データのダウンロードに対する対価についてユーザに課金処理を行うようにしても良い。
【００２０】
固定オーディオ機器５は、装置全体を制御する制御部５１と、インターネット４を介して移動通信センタ３と通信を行う通信制御部５２と、種々のデータを表示する表示部５３と、装置に対して種々の操作を行う操作部５４と、楽曲データの再生を行う再生部５５と、装置に搭載され、あるいはダウンロードされた種々のアプリケーションを起動するアプリ制御部５６とから主に構成されている。なお、図２に示す構成は、本発明を説明するために簡略化したものであり、通常のオーディオ機器に搭載される構成要素は備えているものとする。
【００２１】
固定オーディオ機器５においては、後述する移動通信センタ３から送信された、楽曲データのダウンロード可能である旨の制御信号が通信制御部５２を介して受信される。この制御信号には、楽曲ダウンロードアプリケーションを起動させるコマンドが含まれており、操作部５４で電源をＯＮすることにより、アプリ制御部５６が楽曲ダウンロードアプリケーションを起動する。そして、楽曲ダウンロードアプリケーションにおいて、移動通信センタ３からの楽曲データを、通信制御部５２を介して自動的にダウンロードする。ダウンロードした楽曲データは再生部５５で再生される。なお、ダウンロードする楽曲データは、携帯端末１でダウンロードした楽曲データと同じ楽曲データである。
【００２２】
車載装置６は、装置全体を制御する制御部６１と、移動通信網２を介して移動通信センタ３と通信を行う通信制御部６２と、種々のデータを表示する表示部６３と、装置に対して種々の操作を行う操作部６４と、楽曲データの再生を行う再生部６５と、装置に搭載され、あるいはダウンロードされた種々のアプリケーションを起動するアプリ制御部６６とから主に構成されている。なお、図１に示す構成は、本発明を説明するために簡略化したものであり、通常の車載装置に搭載される構成要素、例えばＧＰＳ（Global Positioning System）やカーナビゲーションシステムなどは備えているものとする。
【００２３】
車載装置６においては、後述する移動通信センタ３から送信された、楽曲データのダウンロード可能である旨の制御信号が通信制御部６２を介して受信される。この制御信号には、楽曲ダウンロードアプリケーションを起動させるコマンドが含まれており、操作部６４で電源をＯＮすることにより、アプリ制御部６６が楽曲ダウンロードアプリケーションを起動する。そして、楽曲ダウンロードアプリケーションにおいて、移動通信センタ３からの楽曲データを、通信制御部６２を介して自動的にダウンロードする。ダウンロードした楽曲データは再生部６５で再生される。なお、ダウンロードする楽曲データは、携帯端末１でダウンロードした楽曲データと同じ楽曲データである。
【００２４】
図３は、図１に示す楽曲ダウンロードシステムにおける移動通信センタの概略構成を示すブロック図である。管理センタである移動通信センサ３は、装置全体を制御する制御部３１と、移動通信網２を介して携帯端末１及び車載装置６との間で通信を行うと共にインターネット４を介して固定オーディオ機器５との間で通信を行う通信制御部３２と、ダウンロードする楽曲データを格納する楽曲データベース（ＤＢ）３３と、ダウンロード対象機器を管理する管理部３４と、楽曲データのダウンロードが可能かどうかの認証を行う認証部３５と、装置に搭載され、あるいはダウンロードされた種々のアプリケーションを起動するアプリ制御部３６と、ダウンロード対象機器の再生能力に応じて最適なファイル形式を設定するファイル設定部３７とから主に構成されている。
【００２５】
通信制御部３２は、楽曲ダウンロードアプリケーションにおいて、携帯端末１、固定オーディオ機器５、及び車載装置６に対して楽曲データを送信する。また、はじめに楽曲データをダウンロードしたダウンロード対象機器に関連づけられたダウンロード対象機器に対してダウンロード前にダウンロードが可能である旨の制御信号を送信する。なお、この制御信号は、後述するテーブルにおいて前記楽曲データのダウンロードが完了していないダウンロード対象機器に対して送信される。これにより、同じ楽曲データを複数回ダウンロードしてしまうことを防止できる。
【００２６】
管理部３４は、ダウンロード対象機器を管理する。管理部３４は、図４に示すようなテーブルを有しており、このテーブルで管理された情報に基づいてダウンロード対象機器に対するダウンロードの管理を行う。図４に示すテーブルは、ユーザ名、ダウンロード対象機器、オーディオ再生機器情報（種別、メーカ名、型番など）、推奨ファイル（ファイル形式、ビットレートなど）、契約情報（ダウンロード対象機器に紐付けられた電話番号、関連情報など）、ダウンロード状況などを管理する。なお、テーブルで管理する情報は図４に示す項目に限定されず、適宜変更することができる。
【００２７】
また、管理部３４は、ダウンロード対象機器に対して楽曲データのダウンロードが完了する毎にテーブルを更新する。例えば、携帯端末１が楽曲データをダウンロードしたときは、管理部３４がテーブルにおける該当する項目を「ＤＬ済」に更新する。また、はじめに楽曲データをダウンロードしたダウンロード対象機器（ここでは携帯端末１）に関連づけられた他のダウンロード対象機器（ここでは固定オーディオ機器５及び車載装置６）に対してダウンロード前にダウンロードが可能である旨の制御信号を送信すると、管理部３４がテーブルを更新する。例えば、固定オーディオ機器５及び車載装置６に制御信号を送信したときは、管理部３４がテーブルにおける該当する項目を「予約」に更新する。さらに、管理部３４は、関連づけられたダウンロード対象機器に対して楽曲データのダウンロードが完了したときに、テーブルを更新する。例えば、携帯端末１がダウンロードした楽曲データを車載装置６でダウンロードしたときには、テーブルにおける該当する項目を「予約」から「ＤＬ済」に更新する。
【００２８】
ファイル設定部３７は、管理部３４のテーブルを参照し、ダウンロード対象機器に応じて楽曲データのファイルを設定する。すなわち、ダウンロード対象機器のオーディオ再生機能に応じて最適となる推奨ファイル（ファイル形式（圧縮形式）やビットレートなど）を設定する。例えば、図４において、ダウンロード対象機器が車載装置（ＡＶＮ）である場合には、ファイル設定部３７は、ファイル形式をＡＡＣとし、ビットレートを１２８ｋｂｐｓとする。なお、推奨ファイルの情報は、例えば、ダウンロード対象機器の製造元において設定される。
【００２９】
移動通信センタ３においては、アプリ制御部３６が楽曲ダウンロードアプリケーションを起動する。そして、楽曲ダウンロードアプリケーションにおいて、第１ダウンロード対象機器である携帯端末１との間で楽曲データが可能であるかどうかの認証処理が行われた後に、携帯端末１に対して楽曲データを、通信制御部３２を介して配信する。その後、第２ダウンロード対象機器である固定オーディオ機器５及び車載装置６に対して、楽曲データのダウンロード可能である旨の制御信号が通信制御部３２を介してプッシュ配信される。この制御信号には、楽曲ダウンロードアプリケーションを起動させるコマンドが含まれている。固定オーディオ機器５及び車載装置６の操作部５４，６４で電源をＯＮすることにより、アプリ制御部３６，５６，６６が楽曲ダウンロードアプリケーションを起動し、楽曲ダウンロードアプリケーションにおいて、移動通信センタ３が通信制御部３２を介して楽曲データを固定オーディオ機器５及び車載装置６に自動的に配信する。
【００３０】
このように、本発明によれば、同じユーザに関する複数のダウンロード対象機器を関連づけて管理しておき、一つのダウンロード対象機器で楽曲データをダウンロードしたときに、そのダウンロード対象機器と関連づけられた他のダウンロード対象機器に自動的に同じ楽曲データをダウンロードさせるので、複数のダウンロード対象機器に同じ楽曲データを簡単にダウンロードすることができる。これにより、ユーザの好みの楽曲を自宅だけでなく、移動体端末でも簡単に聴くことができる。
【００３１】
次に、本発明の実施の形態に係る楽曲ダウンロード方法について図５から図８を用いて説明する。本発明に係る楽曲ダウンロード方法においては、ダウンロード対象機器を管理すると共に、ダウンロードする楽曲データを格納する移動通信センタ３から携帯端末１に楽曲データをダウンロードし、固定オーディオ機器５及び車載装置６に対して前記楽曲データのダウンロードを許可する旨の信号を送信し、前記移動通信センタ３から固定オーディオ機器５及び車載装置６に楽曲データをダウンロードする。
【００３２】
まず、移動通信センタ３に対してダウンロード対象機器の登録を行って初期設定する（ＳＴ１１）。このように登録された情報は管理部３４のテーブルに更新される。また、移動通信センタ３は、ダウンロード対象機器に応じた推奨ファイルの情報を、ダウンロード対象機器の製造元から取得し、管理部３４がその情報をテーブルに更新する。あるいは、移動通信センタ３が予め取得したダウンロード対象機器に応じた推奨ファイルの情報を、管理部３４がテーブルに更新する。
【００３３】
次いで、携帯端末１においては、アプリ制御部１６が楽曲ダウンロードアプリケーションを起動し、楽曲ダウンロードアプリケーションにおいて、移動通信センタ３との間で楽曲データが可能であるかどうかの認証処理を行う（ＳＴ１２）。この認証においては、ユーザが本サービスを受けることができる対象であるかどうかなどを調べる。ユーザ認証がなされると、携帯端末１がユーザの所望の楽曲データを移動通信センタ３に要求し、その楽曲データが楽曲ＤＢ３３に存在していれば、移動通信センタ３からその楽曲データをダウンロードする（ＳＴ１３）。この場合、携帯端末１がユーザの所望の楽曲データを移動通信センタ３に要求すると、図６に示すように、楽曲データのダウンロードの確認画面が携帯端末１の表示部１３に表示される。携帯端末１でダウンロードした楽曲データは、ユーザの操作により再生部１５で再生される（ＳＴ１４）。
【００３４】
移動通信センタ３においては、携帯端末１での楽曲データのダウンロードが完了すると、管理部３４はダウンロードが完了した旨をテーブルに更新する（ＳＴ１５）。すなわち、テーブルにおいて、携帯端末１の欄の所定項目に対して「ＤＬ済」が更新される。次いで、移動通信センタ３は、上記ユーザについて、楽曲データをダウンロードしたダウンロード対象機器（ここでは携帯端末１）以外に登録されているダウンロード対象機器（ここでは固定オーディオ機器５及び車載装置６）に対して、楽曲データのダウンロード可能である旨の制御信号をプッシュ配信する（ＳＴ１６、ＳＴ１７）。この制御信号には、楽曲ダウンロードアプリケーションを起動させるコマンドが含まれている。
【００３５】
次いで、固定オーディオ機器５は、移動通信センタ３から送信された制御信号を受信する。そして、操作部５４を操作して電源をＯＮすることにより、アプリ制御部５６が楽曲ダウンロードアプリケーションを起動し、楽曲ダウンロードアプリケーションにおいて、移動通信センタ３からの楽曲データを自動的にダウンロードする（ＳＴ１８）。このとき、移動通信センタ３のファイル設定部３７により固定オーディオ機器５に最適なファイル形式が設定され、そのファイル形式で楽曲データがダウンロードされる。この場合、固定オーディオ機器５では、図７に示すような画面が表示部５３に表示される。その後、ダウンロードした楽曲データは、ユーザの操作により再生部５５で再生される（ＳＴ１９）。なお、固定オーディオ機器５でダウンロードする楽曲データは、携帯端末１でダウンロードした楽曲データと同じ楽曲データである。また、固定オーディオ機器５へのダウンロードについては、既に提供されているサービスを用いて行うこともできる。
【００３６】
同様に、車載装置６は、移動通信センタ３から送信された制御信号を受信する。そして、操作部６４を操作して電源をＯＮすることにより、アプリ制御部６６が楽曲ダウンロードアプリケーションを起動し、楽曲ダウンロードアプリケーションにおいて、移動通信センタ３からの楽曲データを自動的にダウンロードする（ＳＴ２０）。このとき、移動通信センタ３のファイル設定部３７により車載装置６に最適なファイル形式が設定され、そのファイル形式で楽曲データがダウンロードされる。その後、ダウンロードした楽曲データは、ユーザの操作により再生部６５で再生される（ＳＴ２１）。なお、車載装置６でダウンロードする楽曲データは、携帯端末１でダウンロードした楽曲データと同じ楽曲データである。
【００３７】
上記説明においては、固定オーディオ機器５及び車載装置６について、電源ＯＮにより楽曲データを自動的にダウンロードするようにしているが、電源ＯＮしたときに楽曲データのダウンロードを確認するように設定しても良い。例えば、車載装置６の表示部６３に図８（ａ）に示す画面が表示され、操作部６４を操作すると、図８（ｂ）に示す確認画面が表示部６３に表示される。そして、操作部６４を操作すると、図８（ｃ），（ｄ）に示す画面が表示部６３に表示されてダウンロードが完了する。
【００３８】
本発明は上記実施の形態に限定されず、種々変更して実施することが可能である。例えば、上記実施の形態においては、ダウンロード対象機器が、携帯端末、車載装置、及び固定オーディオ機器の３台であり、はじめに携帯端末にダウンロードした楽曲データを車載装置及び固定オーディオ機器にダウンロードする場合について説明しているが、ダウンロード対象機器の数やはじめに楽曲データをダウンロードするダウンロード対象機器については特に制限はない。また、上記実施の形態においては、第２ダウンロード対象機器が自動的に楽曲データのダウンロードのトリガを電源ＯＮとしているが、本発明においては、第２ダウンロード対象機器が自動的に楽曲データのダウンロードのトリガを他の操作としても良い。その他、本発明の範囲を逸脱しない限りにおいて、処理部、処理手順、画面表示については適宜変更して実施することが可能である。
【図面の簡単な説明】
【００３９】
【図１】本発明の実施の形態に係る楽曲ダウンロードシステムの概略構成を示す図である。
【図２】図１に示す楽曲ダウンロードシステムにおけるダウンロード対象機器である携帯端末、固定オーディオ機器及び車載装置の概略構成を示すブロック図である。
【図３】図１に示す楽曲ダウンロードシステムにおける移動通信センタの概略構成を示すブロック図である。
【図４】本発明の実施の形態に係る楽曲ダウンロードシステムにおける移動通信センタの管理部のテーブルを示す図である。
【図５】本発明の実施の形態に係る楽曲ダウンロード方法を説明するためのシーケンス図である。
【図６】本発明の実施の形態に係る楽曲ダウンロードシステムにおける携帯端末の画面表示例を示す図である。
【図７】本発明の実施の形態に係る楽曲ダウンロードシステムにおける車載装置の画面表示例を示す図である。
【図８】（ａ）〜（ｄ）は、本発明の実施の形態に係る楽曲ダウンロードシステムにおける固定オーディオ機器の画面表示例を示す図である。
【符号の説明】
【００４０】
１  携帯端末
２  移動通信網
３  移動通信センタ
４  インターネット
５  固定オーディオ機器
６  車載装置
１１，３１，５１，６１  制御部
１２，３２，５２，６２  通信制御部
１３，５３，６３  表示部
１４，５４，６４  操作部
１５，５５，６５  再生部
１６，３６，５６，６６  アプリ制御部
３３  楽曲ＤＢ
３４  管理部
３５  認証部
３７  ファイル設定部
【図１】
2008216420.tif 000003
【図２】
2008216420.tif 000004
【図３】
2008216420.tif 000005
【図４】
2008216420.tif 000006
【図５】
2008216420.tif 000007
【図６】
2008216420.tif 000008
【図７】
2008216420.tif 000009
【図８】
2008216420.tif 000010